(57)【要約】【課題】  使用に際して人の手のみならず器具自体も便器に触れない点で極めて衛生的であり、付着性に優れ、トイレの便器内壁面への適用直後から使用することができ、さらに便器内で長時間ゲル状態を保持できるトイレ用芳香洗浄剤を提供することである。【解決手段】  便器内壁面に付着させて使用するトイレ用芳香洗浄剤であって、下記の成分（Ａ）〜（Ｆ）を含有するゲル状組成物であることを特徴とするトイレ用芳香洗浄剤である。（Ａ）水  ２５〜５５質量％（Ｂ）グリセリン  ５〜３０質量％（Ｃ）非イオン性界面活性剤  ２０〜４５質量％（Ｄ）アニオン性界面活性剤  ０.５〜５質量％（Ｅ）香料  ０.５〜１０質量％（Ｆ）油脂  ０.５〜５質量％【選択図】  なし【特許請求の範囲】
【請求項１】
便器内壁面に付着させて使用するトイレ用芳香洗浄剤であって、下記の成分（Ａ）〜（Ｆ）を含有するゲル状組成物であることを特徴とするトイレ用芳香洗浄剤。
（Ａ）水  ２５〜５５質量％
（Ｂ）グリセリン  ５〜３０質量％
（Ｃ）非イオン性界面活性剤  ２０〜４５質量％
（Ｄ）アニオン性界面活性剤  ０.５〜５質量％
（Ｅ）香料  ０.５〜１０質量％
（Ｆ）油脂  ０.５〜５質量％
【請求項２】
請求項１に記載のトイレ用芳香洗浄剤を、便器内壁面に射出して付着させ、流水によってゲル状組成物を持続的に放出させて洗浄することを特徴とする、トイレの洗浄方法。
【請求項３】
トイレ用芳香洗浄剤の射出が、圧力を利用する構造の射出器具を用いて行われる請求項２に記載の洗浄方法。
【請求項４】
圧力を利用する構造の射出器具が、注射器、コーキングガン、水鉄砲、空気鉄砲、ラッパホーンから選ばれる器具である請求項３に記載の洗浄方法。
【請求項５】
トイレ用芳香洗浄剤の射出が、弾性力を利用する構造の射出器具を用いて行われる請求項２に記載の洗浄方法。
【請求項６】
弾性力を利用する構造の射出器具が、クロスボウ、弓、パチンコ、ばね式鉄砲から選ばれる器具である請求項５に記載の洗浄方法。
【請求項７】
請求項３〜６のいずれかの項に記載の洗浄方法に使用されるトイレ用芳香洗浄剤とそれを射出するための射出器具とからなるトイレ用芳香洗浄剤製品セット。
【請求項８】
トイレ用芳香洗浄剤の射出が、液化ガスのガス圧を利用する構造の射出器具を用いて行われる請求項２に記載の洗浄方法。
【請求項９】
射出器具がスプレー缶であることを特徴とする請求項８に記載の洗浄方法。
【請求項１０】
便器内壁面に付着させて使用するトイレ用芳香洗浄剤製品であって、下記の成分（Ａ）〜（Ｆ）を含有するゲル状組成物と（Ｇ）液化ガスとが耐圧容器に充填されており、芳香洗浄剤がガス圧で容器から噴射され便器内壁面に付着する構造を有するトイレ用芳香洗浄剤製品。
（Ａ）水  ２５〜５５質量％
（Ｂ）グリセリン  ５〜３０質量％
（Ｃ）非イオン性界面活性剤  ２０〜４５質量％
（Ｄ）アニオン性界面活性剤  ０.５〜５質量％
（Ｅ）香料  ０.５〜１０質量％
（Ｆ）油脂  ０.５〜５質量％
【請求項１１】
ゲル状組成物を１００質量％としたとき液化ガスを１０〜６０質量％含有する請求項１０に記載のトイレ用芳香洗浄剤製品。
【発明の詳細な説明】
【技術分野】
【０００１】
本発明は、トイレの便器内で衛生的に使用でき、便器内壁面に付着して長時間ゲル状態で保持されるトイレ用芳香洗浄剤に関する。
【背景技術】
【０００２】
従来、水洗トイレにおいて、水洗水中に洗浄成分を放出させ、水洗の度に持続的に便器の洗浄を行う芳香洗浄剤として、固形のインタンクタイプ（貯水タンク内に設置）のもの、並びに固形又は液体のオンタンクタイプ（貯水タンク上の手洗い部分に設置）のものがあり、近年では簡便性、香りの多様性の観点からオンタンクタイプの芳香洗浄剤が多く利用されている（特許文献１、２）。
【０００３】
しかし、タンク付便器を前提に開発された洗浄剤は、最近普及が進んでいる水道直圧式のタンクレス型トイレ用便器には使用できないという問題点がある。
その解決策として、便器のリムに取り付けて便器内で使用される芳香洗浄剤、便器内壁面に塗布後ゲル化して水洗中に有効成分を持続的に放出する液体洗浄剤、並びにゲルを押し出し便器内壁面に塗布可能な容器を用いたゲル状洗浄剤等が提案されている（特許文献３、４、５）。
【先行技術文献】
【特許文献】
【０００４】
【特許文献１】特開平７−１７３５００号公報
【特許文献２】特開２０００−２７３４８４号公報
【特許文献３】特開２００５−９１５６号公報
【特許文献４】特開２００５−１８７５１１号公報
【特許文献５】特開２０１１−５７７８０号公報
【発明の概要】
【発明が解決しようとする課題】
【０００５】
しかしながら、特許文献３に記載されたリム取付けタイプの洗浄剤は使用後に容器を取り外す際に人の手が便器へ接触するという点で不衛生である。
また、特許文献５に記載された便器内壁面に塗布するゲル押出容器を使用するタイプは、人の手が接触することは回避できるが、使う度に押出容器自体が便器に接触する点で同様に不衛生であった。
さらに、特許文献４に記載された便器内壁面でゲル化させる洗浄剤は、ゲル化するまで最低でも１分間（実施例によれば１時間）要するので、すぐに使用できない、又は、すぐに使用することによりゲル強度が低下し、便器内壁面からすぐに流れ落ちてしまうという問題点があった。
【０００６】
本発明は、使用に際して人の手のみならず器具自体も便器に直接触れない点で極めて衛生的であり、付着性に優れ、トイレの便器内壁面への適用直後から流水して使用することができ、さらに便器内で長時間ゲル状態を保持できるトイレ用芳香洗浄剤を提供することを目的とする。
【課題を解決するための手段】
【０００７】
本発明者らは鋭意検討した結果、特定の成分を特定量含有するゲル状組成物を射出器具によって便器内壁面に射出し付着させることによって課題であった器具の衛生問題が解決され、さらには、便器内壁面に付着直後から流水して使用可能で、貼り付きの良い状態で長時間ゲルが便器内壁面で保持されることを見出し、本発明を完成するに至った。
【０００８】
すなわち、本発明は、便器内壁面に付着させて使用するトイレ用芳香洗浄剤製品であって、（Ａ）水  ２５〜５５質量％、（Ｂ）グリセリン  ５〜３０質量％、（Ｃ）非イオン性界面活性剤  ２０〜４５質量％、（Ｄ）アニオン性界面活性剤  ０.５〜５質量％、（Ｅ）香料  ０.５〜１０質量％及び（Ｆ）油脂  ０.５〜５質量％を含有するゲル状組成物であることを特徴とするトイレ用芳香洗浄剤である。
【０００９】
また、本発明は、上記トイレ用芳香洗浄剤を、射出器具を用いて便器内壁面に射出して付着させ、流水によってゲル状組成物を持続的に放出させて洗浄することを特徴とする、トイレの洗浄方法であり、これによって射出器具が便器に直接接触することはない。
そして、射出器具は、圧力又は弾性力を利用して洗浄剤を発射する構造である。本発明の一様態は、前記トイレ用芳香洗浄剤と射出器具とからなるトイレ用芳香洗浄剤製品セットである。
圧力を利用して発射する構造の射出器具としては、注射器、コーキングガン、水鉄砲、空気鉄砲、ラッパホーンや液化ガスのガス圧を利用したスプレー缶がある。
また、弾性体の弾性力や復元力によって洗浄剤を発射する構造の射出器具としては、クロスボウ、弓、パチンコ、ばね式鉄砲がある。
【００１０】
さらに、本発明は、便器内壁面に付着させて使用するトイレ用芳香洗浄剤製品であって、下記の成分（Ａ）〜（Ｆ）を含有するゲル状の芳香洗浄剤と（Ｇ）液化ガスとがスプレー缶のような耐圧容器に充填されており、芳香洗浄剤がガス圧で容器のノズルから噴射され便器内壁面に付着する形態のトイレ用芳香洗浄剤製品であり、ゲル状組成物を１００質量％としたとき液化ガスを１０〜６０質量％含有する。
（Ａ）水  ２５〜５５質量％
（Ｂ）グリセリン  ５〜３０質量％
（Ｃ）非イオン性界面活性剤  ２０〜４５質量％
（Ｄ）アニオン性界面活性剤  ０.５〜５質量％
（Ｅ）香料  ０.５〜１０質量％
（Ｆ）油脂  ０.５〜５質量％
【発明の効果】
【００１１】
本発明によれば、洗浄剤は器具を離れた後、塊となって空中を飛び便器に到達するので、人の手のみならず、洗浄剤を収容し射出又は噴射する器具自体が便器内壁面に直接触れないために極めて衛生的に使用できる。
また、トイレの便器内壁面への付着直後から流水して使用することができる。従ってトイレ洗浄の衛生面及び簡便性に大きく貢献する。
さらに洗浄剤は、付着性に優れ、便器内壁面にゲル状態を保ったまま付着状態が長時間保持されるので、長時間にわたって洗浄剤を持続的、継続的に放出し続けることができる。
【図面の簡単な説明】
【００１２】
【図１】コーキングガンから射出する芳香洗浄剤が充填されたカートリッジ容器の説明図である。
【図２】芳香洗浄剤を射出するコーキングガンの説明図である。
【図３】芳香洗浄剤を射出するクロスボウの斜視図である。
【図４】クロスボウから射出する矢の説明図である。
【図５】水鉄砲と筒状カートリッジの説明図である。
【図６】筒状カートリッジを装着した水鉄砲の説明図である。
【図７】ラッパホーンと筒状カートリッジの説明図である。
【図８】筒状カートリッジを装着したラッパホーンの説明図である。
【図９】スプレー缶タイプの芳香洗浄剤製品の説明図である。
【発明を実施するための形態】
【００１３】
以下、本発明について詳細に説明する。
（１）芳香洗浄剤
本発明の芳香洗浄剤は、下記の成分（Ａ）〜（Ｆ）を含有するゲル状組成物である。
【００１４】
（Ａ）水
本発明で用いる水はイオン交換水、蒸留水、水道水を使用することが出来るが、ゲルの保持性の点からイオン交換水が良い。
水の量は、ゲルを収容する装置からの射出性や便器内壁面でのゲル保持性の点からゲル状組成物全体の２５〜５５質量％が望ましい。
【００１５】
（Ｂ）グリセリン
本発明では水と同様にゲルの保持性に寄与する溶剤としてグリセリンを用いる。ゲル状組成物全体の５〜３０質量％の範囲で用いるが、ゲルを収容する器具からの射出性や、便器内壁面でのゲル保持性の点から、より好ましくは１５〜２５質量％である。
【００１６】
（Ｃ）非イオン性界面活性剤
本発明で用いられる非イオン性界面活性剤は、便器内壁面でのゲル保持性、洗浄性の点からゲル状組成物全体の２０〜４５質量%の範囲で使用することが望ましい。
具体的には、ゲル化能を有するものとして、ポリオキシエチレンセチルエーテル、ポリオキシエチレン脂肪酸エステル、ラウリン酸ポリオキシエチレン硬化ヒマシ油等が挙げられるが、中でも、ゲルの透明性、耐熱性の点からポリオキシエチレンセチルエーテル、ポリオキシエチレン硬化ヒマシ油を使用することが望ましい。
【００１７】
その他、洗浄性を付与する目的として、脂肪族アルカノールアミド、アルキルアミンオキシド、ソルビタン脂肪酸エステル、ポリオキシエチレンアシルエステル、アルキルポリグリコシド、脂肪酸グリコシドエステル、脂肪酸メチルグリコシドエステル、アルキルメチルグルカミド等があり、これらを１種または２種以上を組み合わせて用いる。
【００１８】
（Ｄ）アニオン（陰イオン）性界面活性剤
本発明では気泡性、洗浄性を付与する成分としてアニオン性界面活性剤を用いる。便器内壁面でのゲル保持性、洗浄性の点から、ゲル状組成物全体の０.５〜５質量％の範囲で使用することが望ましい。
具体的には、ミリスチン酸、ステアリン酸、パルミチン酸、ベヘニン酸、イソステアリン酸、オレイン酸等の高級脂肪酸のカリウム、ナトリウム、モノエタノールアミン、ジエタノールアミン、トリエタノールアミン、アミノメチルプロパノールアミン等の塩、エーテルカルボン酸のアルキル塩、Ｎ−アシルアミンの塩、Ｎ−アシルサルコン塩、アルキルベンゼンスルホン酸塩、アルキルリン酸エステル塩、α−オレフィンスルホン酸塩、アルキル硫酸エステル塩、スルホコハク酸エステル塩やアルキルエーテルサルフェート塩が挙げられ、これらを１種または２種以上を組み合わせて用いることができる。
中でも、価格や汎用性の観点からラウレス硫酸ナトリウムが好ましい。
【００１９】
（Ｅ）香料
芳香性を付与する香料としては、特に限定されず、合成香料、天然香料、あるいは調合香料を使用することができる。
例えば、ラベンダー油、ジャスミン油、レモン油、等の天然香料、ゲラニオール、シトロネロール、フェネチルアルコール等の合成香料があげられる。
香料は、芳香性、ゲル保持性の点から、ゲル状組成物全体の０.５〜１０質量％用いることが望ましい。
【００２０】
（Ｆ）油脂
本発明では、便器内壁面でのゲル保持性を上げる目的で各種油脂を使用する。
各種油脂としては、例えば、アボガド油、アルモンド油、ウイキョウ油、エゴマ油、オリブ油、オレンジ油、オレンジラファー油、ゴマ油、カカオ脂、カミツレ油、カロット油、キューカンバー油、牛脂、牛脂脂肪酸、ククイナッツ油、サフラワー油、大豆油、ツバキ油、トウモロコシ油、ナタネ油、パーシック油、ヒマシ油、綿実油、落花生油、タートル油、ミンク油、卵黄油、パーム油、パーム核油、ホホバ油、モクロウ、ヤシ油、豚脂、硬化油及び硬化ヒマシ油等を使用することができるが、価格、汎用性の観点からホホバ油を使用することが好ましい。
油脂は、便器内壁面でのゲル保持性の観点から、ゲル状組成物全体の０.５〜５質量％用いることが望ましい。
【００２１】
（Ｇ）液化ガス
本発明において、スプレーあるいはエアゾールタイプの射出構造とし、缶などの耐圧容器から芳香洗浄剤を噴射させるために液化ガスを使用する。
液化ガスはジメチルエーテル、ＬＰＧ、窒素、炭酸ガスなどを使用することができるが、コストの点からジメチルエーテルが良い、その範囲は射出性やゲル保持性の点からゲル状組成物を１００質量％としたとき１０〜６０質量％用いることが望ましい。
【００２２】
（Ｈ）その他の成分
本発明において使用する上記の必須構成成分の他に、本発明の効果を損なわない範囲において、通常の芳香洗浄剤に用いられる基材、添加剤を併用することができる。
例えば、アルキルカルボベタイン、アルキルスルホベタイン、アルキルヒドロキシヒドロキシスルホベタイン、アルキルアミドアミン型ベタイン、アルキルイミダゾリン型ベタイン等の両性界面活性剤、次亜塩素酸塩や亜塩素酸塩等の漂白剤、殺菌剤、植物抽出物、有機化合物、無機化合物等の消臭成分、水、アルコール以外の溶剤、水溶性高分子、金属イオン封鎖剤、無機塩、有機酸等の塩、着色料、防腐剤などを添加することができる。
【００２３】
射出性、外観、ゲル保持性、耐水流性及び耐熱性に優れたゲルを得るためには、上記（Ａ）〜（Ｄ）成分に関して、水２５〜５５質量％（特に３０〜４５質量％）、グリセリン５〜３０質量％（特に１５〜２５質量％）、非イオン性界面活性剤２０〜４５質量％（特にポリオキシエチレンセチルエーテル２０〜３５質量％、ポリオキシエチレン硬化ヒマシ油５〜１５質量％）、アニオン性界面活性剤０.５〜５重量％（特にラウレス硫酸ナトリウム１.０〜５質量％）、の組み合わせが好ましい。
【００２４】
（２）ゲル状組成物の製造方法
本発明で使用するゲル状組成物は、上記各成分を配合し、均一化して、常法に従って製造することができる。
本発明の効果を損なわない範囲において、固形物を溶媒に溶解させて混合する方法、固形物を加温融解させた状態で混合する方法、全成分を混合後、加温し均一化させる方法のいずれの方法を用いてもよい。
【００２５】
（３）射出器具
上記のゲル状の芳香洗浄剤を便器内壁面に付着させるための器具であって、人の手のみならず器具自体が便器に直接触れることがないものとしては、芳香洗浄剤を勢いよく押し出して射出できる器具が好ましい。
射出器具は、圧力又は弾性力を利用する構造、すなわち射出器具内に気体や液体を溜め、それにピストン等で圧力を加え気体や液体の圧力や反発力によって洗浄剤を発射する構造であるか、あるいは射出器具に備えた弾性体の反発力・復元力によって洗浄剤を発射する構造であり、５〜１０ｃｍの距離から芳香洗浄剤を勢いよく便器内壁を狙って発射し命中できる形態であれば、その構造、形状や材質に限定はない。
【００２６】
圧力を利用して発射する構造の射出器具としては、例えば、注射器、コーキングガン、水鉄砲、空気鉄砲、ラッパホーンあるいは液化ガスのガス圧を利用したスプレー缶がある。
また、弾性体の弾性力や復元力によって洗浄剤を発射する構造の射出器具としては、例えば、クロスボウ（石弓又はボウガンともいう）、弓幹と弦からなる通常の弓、パチンコ（二股の支軸にゴム紐を張り小石などをはさんで飛ばす玩具）、ばね式鉄砲（コイルばねの復元力で弾を発射する玩具）がある。
構造の単純化、取扱いの簡便性、低コスト化を考慮すると、市場で容易に且つ廉価で入手できる既製品、例えば玩具、実験用器具や日用品をそのまま又は最小限の加工を施して本射出器具に転用する方が有利である。
【００２７】
（ア）注射器タイプの射出器具
ここで使用する注射器は、医療用や研究実験用に使用されている中容量シリンジなどを使用することができる。
容量としては５ｍｌ〜２００ｍｌ程度が適当であり、例えば、テルモ社製の「テルモシリンジ（登録商標）」などを使用できる。
なお、注射器タイプの射出器具に最適のゲル状組成物は、水３５〜４５質量％、グリセリン１５〜２０質量％、ポリオキシエチレンセチルエーテル２０〜３０質量％、ポリオキシエチレン硬化ヒマシ油５〜１０質量％、ラウレス硫酸ナトリウム１〜５質量％を含むものである。
【００２８】
（イ）コーキングガンタイプの射出器具
コーキングガンは、建築現場を中心に使用され、隙間をシーリング材で充填するための押出し器具である。
図１は、コーキングガンタイプの射出器具から射出する芳香洗浄剤が充填されたカートリッジ容器１１を示す図である。ゲル状の芳香洗浄剤を射出させる際に、コーキングガン本体１２（図２参照）から直接ゲル状組成物に圧力を加えるため、カートリッジ容器１１は加圧部材１１ａを有する。
【００２９】
図２はコーキングガン本体１２を示し、カートリッジ容器１１を挿入する円筒体部分１３と、図１の加圧部材１１ａを介してゲル状組成物を射出させるためのピストン部１４と、押出機構部１５とからなる。
このコーキングガン本体１２の円筒体部分１３にカートリッジ容器１１をセットし、１５ａと１５ｂのレバーを引くことによりピストン部１４が稼動し、カートリッジ容器内の加圧部材１１ａが移動して内容物のゲル状芳香洗浄剤を射出するという機構である。
以上の機構を有する製品として、例えば、株式会社山本製作所製の「ＹＣＧ−２３００ＨＣ」、「ＳＣＧ−５００Ｈ」、「ＹＣＧ−３４０Ｎ」をコーキングガン本体として使用することができる。
なお、コーキングガンタイプの射出器具に最適のゲル状組成物は、水３５〜４５質量％、グリセリン１５〜２０質量％、ポリオキシエチレンセチルエーテル２０〜３０質量％、ポリオキシエチレン硬化ヒマシ油５〜１０質量％、ラウレス硫酸ナトリウム１〜５質量％を含むものである。
【００３０】
（ウ）クロスボウタイプの射出器具
図３はクロスボウを示す。クロスボウ本体は、ゲル状芳香洗浄剤を射出させるための弦を有する弓部、矢溝、引き金、柱身から構成される。
図４はクロスボウに使用する矢であり、その先端に芳香洗浄剤をセットする充填部を有する。
なお、クロスボウタイプの射出器具に最適のゲル状組成物は、水３５〜４５質量％、グリセリン１５〜２０質量％、ポリオキシエチレンセチルエーテル２５〜３０質量％、ポリオキシエチレン硬化ヒマシ油５〜１０質量％、ラウレス硫酸ナトリウム１.５〜５質量％を含むものである。
【００３１】
（エ）水鉄砲又は空気鉄砲タイプの射出器具
水鉄砲では水の代わりに空気を用いることが好ましい。
図５は、ゲル状芳香洗浄剤を充填する筒状カートリッジ５１と水鉄砲タイプの発射器具を示す図である。
さらに図６は、図５の筒状カートリッジ５１を水鉄砲本体と繋ぐ連結部５２に装着した状態を示す。
図５に示すように、充填した洗浄剤を押し出すための空気溜め部５３と、空気の流通路である通気構５４と空気を貯めるため、及び、ゲル状芳香洗浄剤を射出するためのピストン部５５を有することで、充填したゲルが射出するという構造である。
なお、水鉄砲又は空気鉄砲タイプの射出器具に最適のゲル状組成物は、水３０〜４０質量％、グリセリン１５〜２５質量％、ポリオキシエチレンセチルエーテル２５〜３５質量％、ポリオキシエチレン硬化ヒマシ油５〜１５質量％、ラウレス硫酸ナトリウム１.５〜５質量％を含むものである。
【００３２】
（オ）ラッパホーンタイプの射出器具
ラッパホーンは主に自転車用の警笛として使用するために市販されており、本発明の射出器具に転用可能である。
図７はラッパホーンタイプの射出器具を示す。
さらに図８は、図７のゲル状芳香洗浄剤を充填する筒状カートリッジ７１を、ラッパホーン先端の空気噴出孔７２に装着したものである。
充填した洗浄剤を押し出すための空気溜め部７３と、空気を押し出すためのゴム球７４を有する構造であり、中空のゴム球を握ることで、ホーンに装着した洗浄剤が空気圧で発射されるという構造である。
なお、ラッパホーンタイプの射出器具に最適のゲル状組成物は、水３５〜４５質量％、グリセリン１５〜２０質量％、ポリオキシエチレンセチルエーテル２５〜３５質量％、ポリオキシエチレン硬化ヒマシ油５〜１０質量％、ラウレス硫酸ナトリウム１.５〜５質量％を含むものである。
【００３３】
（カ）ゲル状芳香洗浄剤の器具への充填方法
本発明は、上記器具へ予め調製した上記ゲル状組成物を充填したものである。この充填方法としては、本発明の効果を損なわない範囲において、各種器具にゲル状組成物を加温融解させた後流し込む方法、ゲルの状態のまま詰め込む方法、コーキングガンのようにカートリッジにゲルを充填させたものを、装置に設置する方法のいずれの方法を用いてもよい。
【００３４】
（キ）液化ガス使用のトイレ用芳香洗浄剤製品（スプレー缶タイプ）
気化した液化ガスの圧力によって、内容物であるゲル状組成物を容器の外に勢いよく放出させる製品である。ユーザーはボタンを押す操作だけで放出量を調節でき、衛生的で取扱いの簡便さに優れる。
このスプレー又はエアゾール缶タイプの製品は、図９に示すように主としてボタン９１、ノズル９２、シール９３、ディップチューブ９４、耐圧容器９５からなる。ボタン９１を押してシール９３を開くと、容器内で圧力をかけられているゲルと液化ガス９６（噴射
剤）の混合内容物が、ディップチューブ９４を通ってノズル９２から一気に噴射される。噴射された内容物は、減圧による液化ガスの急激な膨張によって細かい粒子になる、という仕組みである。
なお、スプレー缶タイプの射出器具に最適のゲル状組成物は、水２０〜２５質量％、グリセリン１０〜１５質量％、ポリオキシエチレンセチルエーテル１５〜２５質量％、ポリオキシエチレン硬化ヒマシ油５〜１０質量％、ラウレス硫酸ナトリウム１〜５質量％、ジメチルエーテル（ＤＭＥ）３０〜４０質量％を含むものである。
【実施例】
【００３５】
次に実施例を示して本発明を更に具体的に説明するが、本発明は、これらの実施例に限定されるものではない。
【００３６】
＜実施例１〜２、比較例１〜２＞
〔注射器タイプのトイレ用芳香洗浄剤製品〕
下記表１に示す組成のゲル状組成物を調製し、得られた各ゲル状組成物を注射器（テルモ社製「テルモシリンジ（登録商標）１０ｍＬ」）に充填した。この注射器タイプのトイレ用芳香洗浄剤製品について、以下の評価方法により、射出性、外観、垂直壁面での保持性、水流耐性、耐熱性を評価した。
これらの結果を下記表１に示す。
【００３７】
（Ａ）射出性の評価
下記表１に従い注射器タイプのトイレ用芳香洗浄剤を調製し内容物を射出させ、下記評価基準によりその射出性を評価した。評価は１０名で行った。
評価基準：
◎：９０％以上の評価者が過度の力を加えることなく容易に射出することができた。
○：６０％以上の評価者が過度の力を加えることなく容易に射出することができた。
△：３０％以上の評価者が過度の力を加えることなく容易に射出することができた。
×：過度の力を加えることなく容易に射出させることができた評価者が３０％以下であった。
【００３８】
（Ｂ）外観の評価
下記表１に従い注射器タイプのトイレ用芳香洗浄剤を調製し内容物をガラス板に射出し、下記評価基準によりガラス板に貼り付いたゲルの外観を評価した。
評価基準：
◎：透明且つ流動性がない。
○：半透明で流動性がない。
△：不透明もしくは流動性がある。
×：液状である。
【００３９】
（Ｃ）垂直壁面での保持性の評価
下記表１に従い注射器タイプのトイレ用芳香洗浄剤を調製し、床に対して垂直に置いた２０ｃｍ×２０ｃｍのガラス板（表面の平滑さは便器用陶器と同等）に向かって１０ｃｍの距離から内容物を射出させ、貼りついたゲルの保持性を、下記評価基準により評価した。
評価基準：
◎：２日以上ゲルが落下せずに残っていた。
○：１日〜２日、ゲルが落下せずに残っていた。
△：半日〜１日、ゲルが落下せずに残っていた。
×：半日以下でゲルが落下してしまった。
【００４０】
（Ｄ）水流耐性の評価
下記表１に従い注射器タイプのトイレ用芳香洗浄剤を調製し、トイレの便器（株式会社LIXIL社製の抗菌タイル「KILAMIC（キラミック）」（登録商標）を使用した洋式便器C-5U）の外から便器内壁面に向かって、１０ｃｍ3分の内容物を射出させて貼りついたゲルの水流に対する耐性を、下記評価基準により評価した。
評価基準：
◎：１００回以上水を流してもゲルが残っていた。
○：３０〜１００回は水を流してもゲルが残っていた。
△：１〜３０回は水を流してもゲルが残っていた。
×：１回でゲルが全て流れてしまった。
【００４１】
（Ｅ）耐熱性の評価
下記表１に従い調製したゲル状組成物を密閉可能なガラス容器に入れ、４０、５０、６０、７０℃の恒温槽に１日入れ、ゲルが融解する温度を確認し、その温度を表１に記載した。すでにゲルに流動性がある場合は無記入とした。
【００４２】
【表１】
2013057029.tif 000002
【００４３】
表１の結果から、注射器から射出させた特定配合比で作成したゲルは水流への耐性が優れており、長時間に渡って垂直壁面部で保持するものであることを確認できた。また、特定配合比で作成したゲル自身の保存安定性も高いことがわかった。この方法によれば手を汚すことなくゲルを設置することができた。
【００４４】
＜実施例３〜４、比較例３〜４＞
〔コーキングガンタイプのトイレ用芳香洗浄剤製品〕
下記表２に示す組成のゲル状組成物を調製し、得られた各ゲル状組成物をコーキングガンの空のカートリッジに充填し、コーキングガン本体に装着した。
このコーキングガンタイプのトイレ用芳香洗浄剤について、以下の評価方法により、射出性、外観、垂直壁面での保持性、水流耐性、耐熱性を評価した。これらの結果を下記表２に示す。
【００４５】
（Ａ）射出性の評価
下記表２に従いコーキングガンタイプのトイレ用芳香洗浄剤を調製し、レバーを１回引いて内容物を射出させ、下記評価基準によりその射出性を評価した。評価は１０名で行った。評価基準は注射器タイプのトイレ用芳香洗浄剤と同じ基準とした。
【００４６】
（Ｂ）外観の評価
下記表２に従いコーキングガンタイプのトイレ用芳香洗浄剤を調製し、レバーを１回引いて内容物を射出させ、下記評価基準により貼りついたゲルの外観を評価した。
評価基準は注射器タイプのトイレ用芳香洗浄剤と同じ基準とした。
【００４７】
（Ｃ）垂直壁面での保持性の評価
下記表２に従いコーキングガンタイプのトイレ用芳香洗浄剤を調製し、２０ｃｍ×２０ｃｍのガラス板に向かって１０ｃｍの距離からレバーを引いて内容物を射出させ、貼りついたゲルの保持性を、下記評価基準により評価した。
評価基準は注射器タイプのトイレ用芳香洗浄剤と同じ基準とした。
【００４８】
（Ｄ）水流耐性の評価
下記表２に従いコーキングガンタイプのトイレ用芳香洗浄剤を調製し、トイレの便器の外から便器内壁面に向かって、レバーを最大引ける範囲まで１回引いて内容物を射出させて貼りついたゲルの水流に対する耐性を、下記評価基準により評価した。この時射出されるゲルの重量は１０ｇであった。
評価基準は注射器タイプのトイレ用芳香洗浄剤と同じ基準とした。
【００４９】
（Ｅ）耐熱性の評価
耐熱性の評価は注射器タイプトイレ用芳香洗浄剤と同じ方法とした。
【００５０】
【表２】
2013057029.tif 000003
【００５１】
表２の結果から、コーキングガンから射出させた特定配合比で作成したゲルは水流への耐性が優れており、長時間に渡って垂直壁面部で保持するものであることを確認できた。また、特定配合比で作成したゲル自身の保存安定性も高いことがわかった。この方法によれば手を汚すことなくゲルを設置することができた。
【００５２】
＜実施例５〜６、比較例５〜６＞
〔クロスボウタイプのトイレ用芳香洗浄剤製品〕
下記表３に示す組成のゲル状組成物を調製し、得られた各ゲル状組成物１０ｇをクロスボウの矢の先端に充填した。
このボーガンタイプトイレ用芳香洗浄剤について、１回分のゲルを射出させた後、外観、垂直壁面での保持性、水流への耐性、及びゲルの耐熱性を注射器タイプトイレ用芳香洗浄剤の評価で設定した基準に従って評価した。
射出性については、本器具はピストンではなく弦の反発力を利用したものであり一定性があるため評価は行わなかった。これらの結果を下記表３に示す。
【００５３】
【表３】
2013057029.tif 000004
【００５４】
表３の結果から、クロスボウから射出させた特定配合比で作成したゲルは水流への耐性が優れており、長時間に渡って垂直壁面で保持するものであることを確認できた。また、特定配合比で作成したゲル自身の保存安定性も高いことがわかった。この方法によれば手を汚すことなくゲルを設置することができた。
【００５５】
＜実施例７〜９、比較例７〜８＞
〔水鉄砲タイプのトイレ用芳香洗浄剤製品〕
下記表４に示す組成のゲル状組成物を調製し、得られた各ゲル状組成物１０ｇを水鉄砲用カートリッジの先端に充填した。この水鉄砲タイプのトイレ用芳香洗浄剤について、以下評価方法により射出性について評価した。
また、１回分のゲルを射出させた後の外観、垂直壁面での保持性、水流への耐性及びゲルの耐熱性については、注射器タイプのトイレ用芳香洗浄剤製品の評価で設定した基準に従って評価した。これらの結果を下記表４に示す。
【００５６】
（Ａ）射出性の評価
下記表４に従い水鉄砲タイプトイレ用芳香洗浄剤を調製し１回分のゲルを射出させ、下記評価基準によりその射出性を評価した。
評価基準：
◎：カートリッジ容器に残ったゲルがゲル全体の５％以下であった。
○：カートリッジ容器に残ったゲルがゲル全体の１０％以下であった。
△：カートリッジ容器に残ったゲルがゲル全体の２０％以下であった。
×：カートリッジ容器に残ったゲルがゲル全体の２０％以上であった。
【００５７】
【表４】
2013057029.tif 000005
【００５８】
表４の結果から、水鉄砲から射出させた特定配合比で作成したゲルは水流への耐性が優れており、長時間に渡って垂直壁面で保持するものであることを確認できた。また、特定配合比で作成したゲル自身の保存安定性も高いことがわかった。この方法によれば手を汚すことなくゲルを設置することができた。
【００５９】
＜実施例１０〜１１、比較例９〜１０＞
〔ラッパホーンタイプのトイレ用芳香洗浄剤〕
下記表５に示す組成のゲル状組成物を調製し、得られた各ゲル状組成物１０ｇをラッパホーン用カートリッジの先端に充填した。このラッパホーンタイプトイレ用芳香洗浄剤について、射出性、外観、垂直壁面での保持性、水流への耐性、耐熱性を水鉄砲タイプのトイレ用芳香洗浄剤の評価で設定した基準に従って評価した。これらの結果を下記表５に示す。
【００６０】
【表５】
2013057029.tif 000006
【００６１】
表５の結果から、ラッパホーンから射出させた特定配合比で作成したゲルは水流への耐性が優れており、長時間に渡って垂直壁面で保持するものであることを確認できた。また、特定配合比で作成したゲル自身の保存安定性も高いことがわかった。この方法によれば手を汚すことなくゲルを設置することができた。
【００６２】
＜実施例１２〜１３、比較例１１＞
〔スプレー缶タイプのトイレ用芳香洗浄剤製品〕
下記表６に示す組成のゲル状組成物を調製し、得られた各ゲル状組成物と液化ガス（ジメチルエーテル（ＤＭＥ））混合物をスプレー用の缶に充填した（ノズル孔の直径は約０.３〜０.６ｍｍ）。このスプレー缶タイプのトイレ用芳香洗浄剤製品について、以下評価方法により水流への耐性を評価した。
外観、垂直壁面での保持性については、１回分の製剤を射出させ、注射器タイプのトイレ用芳香洗浄剤の評価で設定した基準に従って評価した。これらの結果を下記表６に示す。
【００６３】
（Ａ）水流耐性の評価
下記表６に従いスプレー缶タイプのトイレ用芳香洗浄剤製品を調製し、トイレの便器の外から便器内壁面に向かって、５秒間内容物を射出させて貼りついたゲル約１.５ｇの水流に対する耐性を、下記評価基準により評価した。
評価基準：
◎：１０以上水を流してもゲルが残っていた。
○：５〜１０回は水を流してもゲルが残っていた。
△：１〜５回は水を流してもゲルが残っていた。
×：１回でゲルが全て流れてしまった。
【００６４】
【表６】
2013057029.tif 000007
【００６５】
表６の結果から、ガスと共にスプレー缶に充填した特定配合比で作成したゲルは水流への耐性が優れており、長時間に渡って垂直壁面で保持するものであることを確認できた。この方法によれば手を汚すことなくゲルを便器に付着させることができた。
【産業上の利用可能性】
【００６６】
本発明のトイレ用芳香洗浄剤は、トイレの便器に衛生的に使用することができ、トイレの便器内壁面への付着直後から流水して使用でき、便器内壁面で長時間保持することができるので、貯水タンク型便器やタンクレス型便器を問わず広く適用可能なので、水洗水中に洗浄剤成分を放出させて持続的に便器内の洗浄を行うタイプのトイレ芳香洗浄剤の使用領域を拡大することに貢献する。
【符号の説明】
【００６７】
１１      カートリッジ容器
１１ａ    加圧部材
１２      コーキングガン本体
１３      円筒体部分
１４      ピストン部
１５      押出機構部
１５ａ    レバー
１５ｂ    レバー
５１      筒状カートリッジ
５２      連結部
５３      空気溜め部
５４      通気構
５５      ピストン
７１      筒状カートリッジ
７２      空気噴出孔
７３      空気溜め部
７４      ゴム球
９１      ボタン
９２      ノズル
９３      シール
９４      ディップチューブ
９５      耐圧容器
９６      ゲルと液化ガス
【図１】
2013057029.tif 000008
【図２】
2013057029.tif 000009
【図３】
2013057029.tif 000010
【図４】
2013057029.tif 000011
【図５】
2013057029.tif 000012
【図６】
2013057029.tif 000013
【図７】
2013057029.tif 000014
【図８】
2013057029.tif 000015
【図９】
2013057029.tif 000016